(57)【要約】【課題】実際にユーザがいる施設と、そのユーザの属性と、に応じた広告を表す広告情報をそのユーザに伝達することが可能な情報処理システムを提供すること。【解決手段】システム１００は、ユーザを特定するためのユーザ特定用基準情報と、そのユーザの属性を表すユーザ属性情報と、を対応付けて記憶する。また、システムは、施設を識別するための施設識別情報と、ユーザ属性情報と、広告を表す広告情報の基礎となる広告基礎情報と、を対応付けて記憶する。そして、システムは、施設に設置されたユーザ特定用入力情報取得部により、ユーザを特定するためのユーザ特定用入力情報を取得する。また、システムは、取得されたユーザ特定用入力情報に対応するユーザ特定用基準情報と対応付けられたユーザ属性情報、及び、上記施設を識別するための施設識別情報、と対応付けられた広告基礎情報に基づいて広告情報を生成し、当該生成した広告情報を出力する。【選択図】図７
2010097377.tif 000002
【特許請求の範囲】
【請求項１】
ユーザを特定するためのユーザ特定用基準情報と、そのユーザの属性を表すユーザ属性情報と、を対応付けて記憶するユーザ属性情報記憶手段と、
施設を識別するための施設識別情報と、前記ユーザ属性情報と、広告を表す広告情報の基礎となる広告基礎情報と、を対応付けて記憶する広告基礎情報記憶手段と、
施設に設置され、且つ、ユーザを特定するためのユーザ特定用入力情報を取得するユーザ特定用入力情報取得手段と、
前記取得されたユーザ特定用入力情報に対応する前記ユーザ特定用基準情報と対応付けて記憶されているユーザ属性情報、及び、そのユーザ特定用入力情報を取得した前記ユーザ特定用入力情報取得手段が設置された施設を識別するための施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を備える情報処理システム。
【請求項２】
請求項１に記載の情報処理システムであって、
前記ユーザ特定用入力情報取得手段は、前記ユーザを撮影することによりそのユーザの画像を表す画像情報を出力する撮影手段を含み、当該撮影手段により出力された画像情報を前記ユーザ特定用入力情報として取得するように構成された情報処理システム。
【請求項３】
請求項１又は請求項２に記載の情報処理システムであって、
前記施設識別情報と、商品毎の在庫数を表す在庫情報と、を対応付けて記憶する在庫情報記憶手段を備え、
前記広告情報出力手段は、前記ユーザ特定用入力情報を取得した前記ユーザ特定用入力情報取得手段が設置された施設を識別するための施設識別情報と対応付けて記憶されている在庫情報に基づいて、前記広告情報を生成するように構成された情報処理システム。
【請求項４】
請求項１乃至請求項３のいずれか一項に記載の情報処理システムであって、
前記広告情報出力手段は、画像を表す画像情報を含む前記広告情報を生成するように構成された情報処理システム。
【請求項５】
請求項１乃至請求項４のいずれか一項に記載の情報処理システムであって、
前記広告情報出力手段は、ユーザの携帯端末へ前記生成した広告情報を送信するように構成された情報処理システム。
【請求項６】
請求項１乃至請求項４のいずれか一項に記載の情報処理システムであって、
前記広告情報出力手段は、前記施設に設置されたディスプレイを含み、そのディスプレイに前記生成した広告情報を表示させるように構成された情報処理システム。
【請求項７】
ユーザを特定するためのユーザ特定用基準情報と、そのユーザの属性を表すユーザ属性情報と、を対応付けて記憶装置に記憶させるユーザ属性情報記憶処理工程と、
施設を識別するための施設識別情報と、前記ユーザ属性情報と、広告を表す広告情報の基礎となる広告基礎情報と、を対応付けて前記記憶装置に記憶させる広告基礎情報記憶処理工程と、
施設に設置されたユーザ特定用入力情報取得装置により、ユーザを特定するためのユーザ特定用入力情報を取得するユーザ特定用入力情報取得工程と、
前記取得されたユーザ特定用入力情報に対応する前記ユーザ特定用基準情報と対応付けて記憶されているユーザ属性情報、及び、そのユーザ特定用入力情報を取得した前記ユーザ特定用入力情報取得装置が設置された施設を識別するための施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力工程と、
を含む情報処理方法。
【請求項８】
請求項７に記載の情報処理方法であって、
前記ユーザ特定用入力情報取得装置は、前記ユーザを撮影することによりそのユーザの画像を表す画像情報を出力する撮影装置を含み、
前記ユーザ特定用入力情報取得工程は、前記撮影装置により出力された画像情報を前記ユーザ特定用入力情報として取得するように構成された情報処理方法。
【請求項９】
請求項７又は請求項８に記載の情報処理方法であって、
前記施設識別情報と、商品毎の在庫数を表す在庫情報と、を対応付けて前記記憶装置に記憶させる在庫情報記憶処理工程を含み、
前記広告情報出力工程は、前記ユーザ特定用入力情報を取得した前記ユーザ特定用入力情報取得装置が設置された施設を識別するための施設識別情報と対応付けて記憶されている在庫情報に基づいて、前記広告情報を生成するように構成された情報処理方法。
【請求項１０】
ユーザを特定するためのユーザ特定用基準情報と、そのユーザの属性を表すユーザ属性情報と、を対応付けて記憶するユーザ属性情報記憶手段と、
施設を識別するための施設識別情報と、前記ユーザ属性情報と、広告を表す広告情報の基礎となる広告基礎情報と、を対応付けて記憶する広告基礎情報記憶手段と、
ユーザを特定するためのユーザ特定用入力情報と前記施設識別情報とを受け付けるユーザ特定用入力情報受付手段と、
前記受け付けられたユーザ特定用入力情報に対応する前記ユーザ特定用基準情報と対応付けて記憶されているユーザ属性情報、及び、前記受け付けられた施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を備える情報処理装置。
【請求項１１】
請求項１０に記載の情報処理装置であって、
前記ユーザ特定用入力情報受付手段は、前記ユーザの画像を表す画像情報を前記ユーザ特定用入力情報として受け付けるように構成された情報処理装置。
【請求項１２】
請求項１０又は請求項１１に記載の情報処理装置であって、
前記施設識別情報と、商品毎の在庫数を表す在庫情報と、を対応付けて記憶する在庫情報記憶手段を備え、
前記広告情報出力手段は、前記受け付けられた施設識別情報と対応付けて記憶されている在庫情報に基づいて、前記広告情報を生成するように構成された情報処理装置。
【請求項１３】
情報処理装置に、
ユーザを特定するためのユーザ特定用基準情報と、そのユーザの属性を表すユーザ属性情報と、を対応付けて記憶装置に記憶させるユーザ属性情報記憶処理手段と、
施設を識別するための施設識別情報と、前記ユーザ属性情報と、広告を表す広告情報の基礎となる広告基礎情報と、を対応付けて前記記憶装置に記憶させる広告基礎情報記憶処理手段と、
ユーザを特定するためのユーザ特定用入力情報と前記施設識別情報とを受け付けるユーザ特定用入力情報受付手段と、
前記受け付けられたユーザ特定用入力情報に対応する前記ユーザ特定用基準情報と対応付けて記憶されているユーザ属性情報、及び、前記受け付けられた施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を実現させるためのプログラム。
【請求項１４】
請求項１３に記載のプログラムであって、
前記ユーザ特定用入力情報受付手段は、前記ユーザの画像を表す画像情報を前記ユーザ特定用入力情報として受け付けるように構成されたプログラム。
【請求項１５】
請求項１３又は請求項１４に記載のプログラムであって、
前記情報処理装置に、更に、
前記施設識別情報と、商品毎の在庫数を表す在庫情報と、を対応付けて前記記憶装置に記憶させる在庫情報記憶処理手段を実現させるとともに、
前記広告情報出力手段は、前記受け付けられた施設識別情報と対応付けて記憶されている在庫情報に基づいて、前記広告情報を生成するように構成されたプログラム。
【発明の詳細な説明】
【技術分野】
【０００１】
本発明は、広告を表す広告情報を出力する情報処理システムに関する。
【背景技術】
【０００２】
ユーザが携帯する携帯端末の位置に基づいて、その位置に応じた広告を表す広告情報を出力する情報処理システムが知られている（例えば、特許文献１を参照）。
【０００３】
この情報処理システムは、位置を表す位置情報と、その位置に応じた広告を表す広告情報と、を対応付けて予め記憶している。そして、情報処理システムは、携帯端末の位置を表す位置情報を取得し、取得した位置情報と対応付けて記憶されている広告情報を特定する。更に、情報処理システムは、特定した広告情報を携帯端末へ送信する。携帯端末は、受信した広告情報を出力する。
【０００４】
【特許文献１】特開２００２−１２３７４１号公報
【発明の開示】
【発明が解決しようとする課題】
【０００５】
ところで、ユーザが店舗等の施設内にいる場合に、その施設と、そのユーザの属性（例えば、性別、体型、及び、嗜好等）と、に応じた広告を表す広告情報をそのユーザに伝達するために、上記情報処理システムを用いる場合を想定する。この場合、携帯端末の位置を表す位置情報（例えば、ＧＰＳ（Ｇｌｏｂａｌ  Ｐｏｓｉｔｉｏｎｉｎｇ  Ｓｙｓｔｅｍ）に基づく位置情報）に基づいて、ユーザがいる施設を正確に特定することができなければ、ユーザがいる施設に応じた広告を表す広告情報をそのユーザに伝達することができない。
【０００６】
しかしながら、店舗等の施設は、比較的狭い領域に密集して存在している場合がある。また、階層構造を有する建物において、階層毎に異なる施設が存在している場合がある。このような場合、上記位置情報に基づいて、実際にユーザがいる施設を正確に特定することができない虞があった。即ち、上記情報処理システムによれば、実際にユーザがいる施設と、そのユーザの属性と、に応じた広告を表す広告情報をそのユーザに伝達することができない場合が生じるという問題があった。
【０００７】
このため、本発明の目的は、上述した課題である「実際にユーザがいる施設と、そのユーザの属性と、に応じた広告を表す広告情報をそのユーザに伝達することができない場合が生じること」を解決することが可能な情報処理システムを提供することにある。
【課題を解決するための手段】
【０００８】
かかる目的を達成するため本発明の一形態である情報処理システムは、
ユーザを特定するためのユーザ特定用基準情報と、そのユーザの属性を表すユーザ属性情報と、を対応付けて記憶するユーザ属性情報記憶手段と、
施設を識別するための施設識別情報と、上記ユーザ属性情報と、広告を表す広告情報の基礎となる広告基礎情報と、を対応付けて記憶する広告基礎情報記憶手段と、
施設に設置され、且つ、ユーザを特定するためのユーザ特定用入力情報を取得するユーザ特定用入力情報取得手段と、
上記取得されたユーザ特定用入力情報に対応する上記ユーザ特定用基準情報と対応付けて記憶されているユーザ属性情報、及び、そのユーザ特定用入力情報を取得した上記ユーザ特定用入力情報取得手段が設置された施設を識別するための施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を備える。
【０００９】
また、本発明の他の形態である情報処理方法は、
ユーザを特定するためのユーザ特定用基準情報と、そのユーザの属性を表すユーザ属性情報と、を対応付けて記憶装置に記憶させるユーザ属性情報記憶処理工程と、
施設を識別するための施設識別情報と、上記ユーザ属性情報と、広告を表す広告情報の基礎となる広告基礎情報と、を対応付けて上記記憶装置に記憶させる広告基礎情報記憶処理工程と、
施設に設置されたユーザ特定用入力情報取得装置により、ユーザを特定するためのユーザ特定用入力情報を取得するユーザ特定用入力情報取得工程と、
上記取得されたユーザ特定用入力情報に対応する上記ユーザ特定用基準情報と対応付けて記憶されているユーザ属性情報、及び、そのユーザ特定用入力情報を取得した上記ユーザ特定用入力情報取得装置が設置された施設を識別するための施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力工程と、
を含む。
【００１０】
また、本発明の他の形態である情報処理装置は、
ユーザを特定するためのユーザ特定用基準情報と、そのユーザの属性を表すユーザ属性情報と、を対応付けて記憶するユーザ属性情報記憶手段と、
施設を識別するための施設識別情報と、上記ユーザ属性情報と、広告を表す広告情報の基礎となる広告基礎情報と、を対応付けて記憶する広告基礎情報記憶手段と、
ユーザを特定するためのユーザ特定用入力情報と上記施設識別情報とを受け付けるユーザ特定用入力情報受付手段と、
上記受け付けられたユーザ特定用入力情報に対応する上記ユーザ特定用基準情報と対応付けて記憶されているユーザ属性情報、及び、上記受け付けられた施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を備える。
【００１１】
また、本発明の他の形態であるプログラムは、
情報処理装置に、
ユーザを特定するためのユーザ特定用基準情報と、そのユーザの属性を表すユーザ属性情報と、を対応付けて記憶装置に記憶させるユーザ属性情報記憶処理手段と、
施設を識別するための施設識別情報と、上記ユーザ属性情報と、広告を表す広告情報の基礎となる広告基礎情報と、を対応付けて上記記憶装置に記憶させる広告基礎情報記憶処理手段と、
ユーザを特定するためのユーザ特定用入力情報と上記施設識別情報とを受け付けるユーザ特定用入力情報受付手段と、
上記受け付けられたユーザ特定用入力情報に対応する上記ユーザ特定用基準情報と対応付けて記憶されているユーザ属性情報、及び、上記受け付けられた施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を実現させるためのプログラムである。
【発明の効果】
【００１２】
本発明は、以上のように構成されることにより、実際にユーザがいる施設と、そのユーザの属性と、に応じた広告を表す広告情報をそのユーザに伝達することができる。
【発明を実施するための最良の形態】
【００１３】
本発明の一形態である情報処理システムは、
ユーザを特定するためのユーザ特定用基準情報と、そのユーザの属性を表すユーザ属性情報と、を対応付けて記憶するユーザ属性情報記憶手段と、
施設を識別するための施設識別情報と、上記ユーザ属性情報と、広告を表す広告情報の基礎となる広告基礎情報と、を対応付けて記憶する広告基礎情報記憶手段と、
施設に設置され、且つ、ユーザを特定するためのユーザ特定用入力情報を取得するユーザ特定用入力情報取得手段と、
上記取得されたユーザ特定用入力情報に対応する上記ユーザ特定用基準情報と対応付けて記憶されているユーザ属性情報、及び、そのユーザ特定用入力情報を取得した上記ユーザ特定用入力情報取得手段が設置された施設を識別するための施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を備える。
【００１４】
これによれば、情報処理システムは、施設に設置されたユーザ特定用入力情報取得手段により取得されたユーザ特定用入力情報に基づいてユーザを特定する。そして、情報処理システムは、ユーザ特定用入力情報を取得したユーザ特定用入力情報取得手段が設置された施設と、特定したユーザの属性と、に応じた広告を表す広告情報を出力する。これによれば、実際にユーザがいる施設と、そのユーザの属性と、に応じた広告を表す広告情報をそのユーザに伝達することができる。
【００１５】
この場合、
上記ユーザ特定用入力情報取得手段は、上記ユーザを撮影することによりそのユーザの画像を表す画像情報を出力する撮影手段を含み、当該撮影手段により出力された画像情報を上記ユーザ特定用入力情報として取得するように構成されることが好適である。
【００１６】
この場合、上記情報処理システムは、
上記施設識別情報と、商品毎の在庫数を表す在庫情報と、を対応付けて記憶する在庫情報記憶手段を備え、
上記広告情報出力手段は、上記ユーザ特定用入力情報を取得した上記ユーザ特定用入力情報取得手段が設置された施設を識別するための施設識別情報と対応付けて記憶されている在庫情報に基づいて、上記広告情報を生成するように構成されることが好適である。
【００１７】
これによれば、情報処理システムは、商品毎の在庫数に基づく広告情報を出力する。これにより、在庫数に応じた広告情報をユーザに伝達することができる。
【００１８】
この場合、上記広告情報出力手段は、画像を表す画像情報を含む上記広告情報を生成するように構成されることが好適である。
これによれば、情報処理システムは、画像情報を含む広告情報をユーザに伝達することができる。
【００１９】
この場合、上記広告情報出力手段は、ユーザの携帯端末へ上記生成した広告情報を送信するように構成されることが好適である。
【００２０】
これによれば、ユーザの携帯端末は、広告情報を受信し、受信した広告情報を出力することができる。この結果、ユーザに広告情報を確実に伝達することができる。
【００２１】
また、上記情報処理システムの他の態様において、
上記広告情報出力手段は、上記施設に設置されたディスプレイを含み、そのディスプレイに上記生成した広告情報を表示させるように構成されることが好適である。
【００２２】
これによれば、施設に設置されたディスプレイに、広告情報を表示させることができる。この結果、ユーザに広告情報を確実に伝達することができる。
【００２３】
また、本発明の他の形態である情報処理方法は、
ユーザを特定するためのユーザ特定用基準情報と、そのユーザの属性を表すユーザ属性情報と、を対応付けて記憶装置に記憶させるユーザ属性情報記憶処理工程と、
施設を識別するための施設識別情報と、上記ユーザ属性情報と、広告を表す広告情報の基礎となる広告基礎情報と、を対応付けて上記記憶装置に記憶させる広告基礎情報記憶処理工程と、
施設に設置されたユーザ特定用入力情報取得装置により、ユーザを特定するためのユーザ特定用入力情報を取得するユーザ特定用入力情報取得工程と、
上記取得されたユーザ特定用入力情報に対応する上記ユーザ特定用基準情報と対応付けて記憶されているユーザ属性情報、及び、そのユーザ特定用入力情報を取得した上記ユーザ特定用入力情報取得装置が設置された施設を識別するための施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力工程と、
を含む。
【００２４】
この場合、
上記ユーザ特定用入力情報取得装置は、上記ユーザを撮影することによりそのユーザの画像を表す画像情報を出力する撮影装置を含み、
上記ユーザ特定用入力情報取得工程は、上記撮影装置により出力された画像情報を上記ユーザ特定用入力情報として取得するように構成されることが好適である。
【００２５】
この場合、上記情報処理方法は、
上記施設識別情報と、商品毎の在庫数を表す在庫情報と、を対応付けて上記記憶装置に記憶させる在庫情報記憶処理工程を含み、
上記広告情報出力工程は、上記ユーザ特定用入力情報を取得した上記ユーザ特定用入力情報取得装置が設置された施設を識別するための施設識別情報と対応付けて記憶されている在庫情報に基づいて、上記広告情報を生成するように構成されることが好適である。
【００２６】
また、本発明の他の形態である情報処理装置は、
ユーザを特定するためのユーザ特定用基準情報と、そのユーザの属性を表すユーザ属性情報と、を対応付けて記憶するユーザ属性情報記憶手段と、
施設を識別するための施設識別情報と、上記ユーザ属性情報と、広告を表す広告情報の基礎となる広告基礎情報と、を対応付けて記憶する広告基礎情報記憶手段と、
ユーザを特定するためのユーザ特定用入力情報と上記施設識別情報とを受け付けるユーザ特定用入力情報受付手段と、
上記受け付けられたユーザ特定用入力情報に対応する上記ユーザ特定用基準情報と対応付けて記憶されているユーザ属性情報、及び、上記受け付けられた施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を備える。
【００２７】
この場合、上記ユーザ特定用入力情報受付手段は、上記ユーザの画像を表す画像情報を上記ユーザ特定用入力情報として受け付けるように構成されることが好適である。
【００２８】
この場合、上記情報処理装置は、
上記施設識別情報と、商品毎の在庫数を表す在庫情報と、を対応付けて記憶する在庫情報記憶手段を備え、
上記広告情報出力手段は、上記受け付けられた施設識別情報と対応付けて記憶されている在庫情報に基づいて、上記広告情報を生成するように構成されることが好適である。
【００２９】
また、本発明の他の形態であるプログラムは、
情報処理装置に、
ユーザを特定するためのユーザ特定用基準情報と、そのユーザの属性を表すユーザ属性情報と、を対応付けて記憶装置に記憶させるユーザ属性情報記憶処理手段と、
施設を識別するための施設識別情報と、上記ユーザ属性情報と、広告を表す広告情報の基礎となる広告基礎情報と、を対応付けて上記記憶装置に記憶させる広告基礎情報記憶処理手段と、
ユーザを特定するためのユーザ特定用入力情報と上記施設識別情報とを受け付けるユーザ特定用入力情報受付手段と、
上記受け付けられたユーザ特定用入力情報に対応する上記ユーザ特定用基準情報と対応付けて記憶されているユーザ属性情報、及び、上記受け付けられた施設識別情報、と対応付けて記憶されている広告基礎情報に基づいて、当該施設と、当該ユーザ属性情報が表すユーザの属性と、に応じた広告を表す広告情報を生成し、当該生成した広告情報を出力する広告情報出力手段と、
を実現させるためのプログラムである。
【００３０】
この場合、上記ユーザ特定用入力情報受付手段は、上記ユーザの画像を表す画像情報を上記ユーザ特定用入力情報として受け付けるように構成されることが好適である。
【００３１】
この場合、上記プログラムは、
上記情報処理装置に、更に、
上記施設識別情報と、商品毎の在庫数を表す在庫情報と、を対応付けて上記記憶装置に記憶させる在庫情報記憶処理手段を実現させるとともに、
上記広告情報出力手段は、上記受け付けられた施設識別情報と対応付けて記憶されている在庫情報に基づいて、上記広告情報を生成するように構成されることが好適である。
【００３２】
上述した構成を有する、情報処理方法、情報処理装置、又は、プログラム、の発明であっても、上記情報処理システムと同様の作用を有するために、上述した本発明の目的を達成することができる。
【００３３】
以下、本発明に係る、情報処理システム、情報処理方法、情報処理装置、及び、プログラム、の実施形態について図１〜図７を参照しながら説明する。
【００３４】
＜実施形態＞
図１に示したように、実施形態に係る情報処理システム１は、ユーザ特定用入力情報取得装置としての施設用端末装置（ユーザ特定用入力情報取得手段）１０と、サーバ装置２０と、携帯端末３０と、を備える。施設用端末装置１０及びサーバ装置２０は、通信回線（本例では、インターネット）ＮＷを介して、互いに通信可能に接続されている。また、サーバ装置２０及び携帯端末３０は、図示しない基地局を介して、互いに通信可能に接続されている。
【００３５】
施設用端末装置１０は、パーソナル・コンピュータである。施設用端末装置１０は、施設としての店舗に設置されている。施設用端末装置１０は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク駆動装置（ＨＤＤ；Ｈａｒｄ  Ｄｉｓｋ  Ｄｒｉｖｅ））、入力装置及び出力装置を備える。
【００３６】
出力装置は、ディスプレイを有する。出力装置は、ＣＰＵから出力された画像情報に基づいて、文字及び図形等からなる画像をディスプレイに表示させる。入力装置は、キーボード及びマウスを有する。施設用端末装置１０は、キーボード及びマウスを介して、ユーザの操作に基づく情報が入力されるように構成されている。
【００３７】
また、施設用端末装置１０は、撮影装置（撮影手段）１０ａを備える。撮影装置１０ａは、固体撮像素子及びレンズを含む。撮影装置１０ａは、レンズ及び固体撮像素子を用いて被写体を撮影することによりその被写体の画像を表す画像情報を出力する。
【００３８】
施設用端末装置１０は、記憶装置に記憶されているプログラムをＣＰＵが実行することにより、後述する機能を実現するように構成されている。
【００３９】
サーバ装置２０は、施設用端末装置１０と同様に、図示しないＣＰＵ及び記憶装置を備える。サーバ装置２０は、施設用端末装置１０と同様に、記憶装置に記憶されているプログラムをＣＰＵが実行することにより、後述する機能を実現するように構成されている。
【００４０】
携帯端末３０は、携帯電話装置である。携帯端末３０は、ユーザＵＡに保持されている。携帯端末３０は、施設用端末装置１０と同様に、図示しないＣＰＵ及び記憶装置を備える。携帯端末３０は、記憶装置に記憶されているプログラムをＣＰＵが実行することにより、後述する機能を実現するように構成されている。
【００４１】
また、携帯端末３０は、入力装置及び出力装置を備える。入力装置は、複数のキー（押し込み可能なボタン）及びマイクロホンを有する。携帯端末３０は、キーを介して、ユーザの操作に基づく情報が入力される。また、携帯端末３０は、マイクロホンを介して、ユーザの音声を表す情報が入力される。
【００４２】
出力装置は、ディスプレイ及びスピーカを有する。ディスプレイは、ＣＰＵから出力された画像情報に基づいて、文字及び図形等からなる画像をディスプレイに表示させる。スピーカは、ＣＰＵから出力された音声情報に基づいて（音声情報を変換することにより）、その音声情報が表す音声を出力する。
【００４３】
図２は、上記のように構成された情報処理システム１の機能を表すブロック図である。この機能は、施設用端末装置１０のＣＰＵが記憶装置に記憶されているプログラムを実行し、且つ、サーバ装置２０のＣＰＵが記憶装置に記憶されているプログラムを実行し、且つ、携帯端末３０のＣＰＵが記憶装置に記憶されているプログラムを実行することにより実現される。
【００４４】
施設用端末装置１０の機能は、ユーザ特定用入力情報取得部（ユーザ特定用入力情報取得部）１１と、ユーザ特定用入力情報送信部１２と、を含む。
【００４５】
ユーザ特定用入力情報取得部１１は、撮影装置１０ａにより出力された画像情報を取得する。ユーザ特定用入力情報取得部１１は、取得した画像情報が表す画像が人間の顔の画像を含む場合、その画像情報を、ユーザを特定するためのユーザ特定用入力情報として取得する。
【００４６】
ユーザ特定用入力情報送信部１２は、ユーザ特定用入力情報取得部１１により取得されたユーザ特定用入力情報と、施設用端末装置１０の記憶装置に予め記憶されている施設識別情報と、をサーバ装置２０へ送信する。施設識別情報は、施設用端末装置１０が設置されている施設を識別するための情報である。
【００４７】
また、サーバ装置２０の機能は、ユーザ特定用入力情報受付部２１と、ユーザ属性情報記憶部（ユーザ属性情報記憶手段、ユーザ属性情報記憶処理手段、ユーザ属性情報記憶処理工程）２２と、広告基礎情報記憶部（広告基礎情報記憶手段、広告基礎情報記憶処理手段、広告基礎情報記憶処理工程）２３と、在庫情報記憶部（在庫情報記憶手段、在庫情報記憶処理手段、在庫情報記憶処理工程）２４と、広告情報生成部（広告情報出力手段の一部）２５と、広告情報送信部（広告情報出力手段の一部）２６と、を含む。
【００４８】
ユーザ特定用入力情報受付部２１は、施設用端末装置１０により送信されたユーザ特定用入力情報と、施設識別情報と、を受け付ける。
【００４９】
ユーザ属性情報記憶部２２は、図３に示したように、ユーザを特定するためのユーザ特定用基準情報と、そのユーザの属性（本例では、年齢、性別、身長及び体重）を表すユーザ属性情報と、広告情報の送信先の携帯端末を特定するための送信先端末特定情報（例えば、携帯端末３０のメールアドレスを表す情報）と、を対応付けてサーバ装置２０の記憶装置に記憶させている。
【００５０】
ユーザ特定用基準情報は、ユーザの顔の画像を表す画像情報から、予め定められた抽出アルゴリズムに従って抽出された情報であり、且つ、その画像の特徴を表す情報である。
また、本例では、ユーザ属性情報は、ユーザの年齢を表す年齢情報と、ユーザの性別を表す性別情報と、ユーザの身長を表す身長情報と、ユーザの体重を表す体重情報と、を含む。ユーザ特定用基準情報、ユーザ属性情報、及び、送信先端末特定情報は、ユーザにより入力された情報である。
【００５１】
広告基礎情報記憶部２３は、図４に示したように、施設を識別するための施設識別情報と、ユーザ属性情報と、広告を表す広告情報の基礎となる広告基礎情報と、を対応付けてサーバ装置２０の記憶装置に記憶させている。広告基礎情報は、商品を識別するための商品識別情報と、商品の名称を表す商品名称情報と、その商品の画像を表す商品画像情報と、を含む。
【００５２】
在庫情報記憶部２４は、図５に示したように、施設識別情報と、商品毎の在庫数を表す在庫情報と、を対応付けてサーバ装置２０の記憶装置に記憶させている。在庫情報は、商品を識別するための商品識別情報と、その商品の在庫数を表す在庫数情報と、を含む。
【００５３】
広告情報生成部２５は、ユーザ特定用入力情報受付部２１により受け付けられたユーザ特定用入力情報から、上記抽出アルゴリズムに従って、そのユーザ特定用入力情報が表す画像の特徴を表す情報を抽出する。そして、広告情報生成部２５は、抽出した情報と対応（本例では、一致）するユーザ特定用基準情報と対応付けてユーザ属性情報記憶部２２により記憶させられているユーザ属性情報、及び、送信先端末特定情報を取得する。
【００５４】
なお、広告情報生成部２５は、抽出した情報とユーザ特定用基準情報とが一致している場合に、当該抽出した情報と当該ユーザ特定用基準情報とが対応していると判定するように構成されている。ところで、広告情報生成部２５は、抽出した情報とユーザ特定用基準情報とが類似している程度を表す類似度を算出し、算出した類似度が所定の閾値よりも大きい場合に抽出した情報とユーザ特定用基準情報とが対応していると判定するように構成されていてもよい。
【００５５】
また、広告情報生成部２５は、取得したユーザ属性情報、及び、ユーザ特定用入力情報受付部２１により受け付けられた施設識別情報、と対応付けて広告基礎情報記憶部２３により記憶させられている広告基礎情報を取得する。
【００５６】
広告情報生成部２５は、取得した広告基礎情報に基づいて、ユーザ特定用入力情報受付部２１により受け付けられた施設識別情報により識別される施設と、上記取得したユーザ属性情報が表すユーザの属性と、に応じた広告を表す広告情報を生成する。
本例では、広告情報生成部２５は、取得したユーザ属性情報に応じた人間の全身を表す画像内に、取得した広告基礎情報に含まれる商品画像情報が表す商品（本例では、衣類、靴、及び、装飾品）の画像を配置した画像を表す画像情報を含む広告情報を生成する。
【００５７】
また、広告情報生成部２５は、ユーザ特定用入力情報受付部２１により受け付けられた施設識別情報と対応付けて在庫情報記憶部２４により記憶させられている在庫情報を取得する。
【００５８】
そして、広告情報生成部２５は、取得した在庫情報と、上記生成した広告情報と、に基づいて、在庫数が所定の閾値（本例では、１つ）よりも少ない商品の画像を消去するように広告情報を編集する。更に、広告情報生成部２５は、取得した在庫情報と、上記生成した広告情報と、に基づいて、在庫数が多い商品の画像ほどより強調して表示されるように広告情報を編集する。
【００５９】
広告情報送信部２６は、広告情報生成部２５により生成された広告情報を、広告情報生成部２５により取得された送信先端末特定情報により特定される携帯端末（例えば、携帯端末３０）へ送信する。
【００６０】
携帯端末３０の機能は、広告情報受付部（広告情報出力手段の一部）３１と、広告情報出力部（広告情報出力手段の一部）３２と、を含む。
広告情報受付部３１は、サーバ装置２０により送信された広告情報を受信することにより受け付ける。
【００６１】
広告情報出力部３２は、広告情報受付部３１により受け付けられた広告情報を出力する。具体的には、広告情報出力部３２は、広告情報に含まれる画像情報が表す画像をディスプレイに表示させる。
【００６２】
次に、上述した情報処理システム１の作動について図６を参照しながら具体的に述べる。
先ず、撮影装置１０ａは、施設内の空間（例えば、施設の入口）を撮影することによりその空間の画像を表す画像情報を出力し続けている（ステップＡ１）。
【００６３】
そして、施設用端末装置１０は、撮影装置１０ａにより出力された画像情報が表す画像が人間の顔の画像を含む場合、その画像情報を、ユーザを特定するためのユーザ特定用入力情報として取得する（ステップＡ２、ユーザ特定用入力情報取得工程）。
【００６４】
次いで、施設用端末装置１０は、取得したユーザ特定用入力情報と、予め記憶している施設識別情報と、をサーバ装置２０へ送信する（ステップＡ３）。
【００６５】
サーバ装置２０は、施設用端末装置１０により送信されたユーザ特定用入力情報及び施設識別情報を受信する。そして、サーバ装置２０は、受信したユーザ特定用入力情報から、上記抽出アルゴリズムに従って、そのユーザ特定用入力情報が表す画像の特徴を表す情報を抽出する。そして、サーバ装置２０は、抽出した情報と一致するユーザ特定用基準情報と対応付けてサーバ装置２０の記憶装置に記憶させられているユーザ属性情報、及び、送信先端末特定情報を取得する（ステップＢ１、広告情報出力工程の一部）。
【００６６】
更に、サーバ装置２０は、取得したユーザ属性情報、及び、受信した施設識別情報、と対応付けてサーバ装置２０の記憶装置に記憶させられている広告基礎情報を取得する（ステップＢ２、広告情報出力工程の一部）。
【００６７】
そして、サーバ装置２０は、取得した広告基礎情報に基づいて、受信した施設識別情報により識別される施設と、上記取得したユーザ属性情報が表すユーザの属性と、に応じた広告を表す広告情報を生成する（ステップＢ３）。この広告情報は、ユーザ属性情報に応じた人間の全身を表す画像内に、取得した広告基礎情報に含まれる商品画像情報が表す商品（本例では、衣類、靴、及び、装飾品）の画像を配置した画像を表す画像情報を含む。
【００６８】
次いで、サーバ装置２０は、受信した施設識別情報と対応付けてサーバ装置２０の記憶装置に記憶させられている在庫情報を取得する。そして、サーバ装置２０は、取得した在庫情報と、上記生成した広告情報と、に基づいて、在庫数が所定の閾値（本例では、１つ）よりも少ない商品の画像を消去するように広告情報を編集する。更に、サーバ装置２０は、取得した在庫情報と、上記生成した広告情報と、に基づいて、在庫数が多い商品の画像ほどより強調して表示されるように広告情報を編集する（ステップＢ４、広告情報出力工程の一部）。
【００６９】
そして、サーバ装置２０は、編集された広告情報を、上記ステップＢ１にて取得された送信先端末特定情報により特定される携帯端末（ここでは、携帯端末３０）へ送信する（ステップＢ５、広告情報出力工程の一部）。
【００７０】
一方、携帯端末３０は、サーバ装置２０により送信された広告情報を受信する。そして、携帯端末３０は、受信した広告情報に含まれる画像情報が表す画像をディスプレイに表示させる（ステップＣ１、広告情報出力工程の一部）。
【００７１】
これにより、携帯端末３０を保持するユーザＵＡは、ディスプレイを見ることにより、その広告情報が表す広告を閲覧する。
【００７２】
以上、説明したように、本発明による情報処理システムの実施形態によれば、情報処理システム１は、施設に設置された施設用端末装置１０により取得されたユーザ特定用入力情報に基づいてユーザを特定する。そして、情報処理システムは、ユーザ特定用入力情報を取得した施設用端末装置１０が設置された施設と、特定したユーザの属性と、に応じた広告を表す広告情報を出力する。これによれば、実際にユーザがいる施設と、そのユーザの属性と、に応じた広告を表す広告情報をそのユーザに伝達することができる。
【００７３】
更に、上記実施形態は、ユーザ特定用入力情報を取得した施設用端末装置１０が設置された施設を識別するための施設識別情報と対応付けて記憶されている在庫情報に基づいて、広告情報を生成する。
これによれば、情報処理システム１は、商品毎の在庫数に基づく広告情報を出力する。これにより、在庫数に応じた広告情報をユーザに伝達することができる。
【００７４】
また、上記実施形態は、画像を表す画像情報を含む広告情報を生成する。
これによれば、情報処理システム１は、画像情報を含む広告情報をユーザに伝達することができる。
【００７５】
加えて、上記実施形態に係るサーバ装置２０は、ユーザＵＡの携帯端末３０へ生成した広告情報を送信する。そして、携帯端末３０は、広告情報を受信し、受信した広告情報を出力する。この結果、ユーザＵＡに広告情報を確実に伝達することができる。
【００７６】
なお、本発明は上記実施形態に限定されることはなく、本発明の範囲内において種々の変形例を採用することができる。例えば、上記実施形態において、広告基礎情報記憶部２３〜広告情報送信部２６は、サーバ装置２０の機能であったが、施設用端末装置１０の機能であってもよい。
【００７７】
また、上記実施形態において、情報処理システム１は、携帯端末３０が広告情報を出力するように構成されていたが、施設用端末装置１０が広告情報を出力するように構成されていてもよい。
【００７８】
この場合、施設用端末装置１０は、施設に設置されたディスプレイを含み、そのディスプレイにサーバ装置２０が生成した広告情報を表示させるように構成されていることが好適である。
これによれば、施設に設置されたディスプレイに、広告情報を表示させることができる。この結果、ユーザＵＡに広告情報を確実に伝達することができる。
【００７９】
また、上記実施形態の変形例において、図７に示したように、情報処理システム１００の機能は、ユーザ属性情報記憶部１０１と、広告基礎情報記憶部１０２と、ユーザ特定用入力情報取得部１０３と、広告情報出力部１０４と、を含んでいてもよい。
【００８０】
ユーザ属性情報記憶部１０１は、ユーザを特定するためのユーザ特定用基準情報と、そのユーザの属性を表すユーザ属性情報と、を対応付けて記憶する。
広告基礎情報記憶部１０２は、施設を識別するための施設識別情報と、前記ユーザ属性情報と、広告を表す広告情報の基礎となる広告基礎情報と、を対応付けて記憶する。
【００８１】
ユーザ特定用入力情報取得部１０３は、施設に設置され、且つ、ユーザを特定するためのユーザ特定用入力情報を取得する。
【００８２】
広告情報出力部１０４は、ユーザ特定用入力情報取得部１０３により取得されたユーザ特定用入力情報に対応するユーザ特定用基準情報と対応付けて記憶されているユーザ属性情報を取得する。広告情報出力部１０４は、取得したユーザ属性情報、及び、そのユーザ特定用入力情報を取得したユーザ特定用入力情報取得部１０３が設置された施設を識別するための施設識別情報、と対応付けて記憶されている広告基礎情報を取得する。
【００８３】
広告情報出力部１０４は、取得した広告基礎情報に基づいて、上記施設と、上記ユーザ属性情報が表すユーザの属性と、に応じた広告を表す広告情報を生成する。広告情報出力部１０４は、生成した広告情報を出力する。
【００８４】
この変形例によっても、上記実施形態と同様に、情報処理システム１００は、施設に設置されたユーザ特定用入力情報取得部１０３により取得されたユーザ特定用入力情報に基づいてユーザを特定する。そして、情報処理システム１００は、ユーザ特定用入力情報を取得したユーザ特定用入力情報取得部１０３が設置された施設と、特定したユーザの属性と、に応じた広告を表す広告情報を出力する。これによれば、実際にユーザがいる施設と、そのユーザの属性と、に応じた広告を表す広告情報をそのユーザに伝達することができる。
【００８５】
また、ユーザ属性情報は、ユーザの嗜好を表す情報、及び、過去の購入履歴を表す情報等を含んでいてもよい。
例えば、ユーザ属性情報は、服飾店に対して、服のサイズ、靴のサイズ、及び、好みの色のそれぞれを表す情報を含んでいてもよい。
また、ユーザ属性情報は、書店又はレンタルビデオ店に対して、好みのジャンル、及び、好みの作家／俳優のそれぞれを表す情報を含んでいてもよい。
また、ユーザ属性情報は、飲食店に対して、予算、家族構成、及び、食事の好みのそれぞれを表す情報を含んでいてもよい。
【００８６】
なお、上記実施形態において、携帯端末３０は、携帯電話装置であったが、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）、ゲーム機、カーナビゲーション装置、又は、ラップトップ型コンピュータ等であってもよい。
【００８７】
また、上記実施形態においては、ユーザ特定用入力情報は、顔の画像を表す画像情報であったが、指紋を表す情報、静脈を表す情報、光彩を表す情報、又は、声紋を表す情報等の生体情報であってもよい。また、ユーザ特定用入力情報は、電磁界を介して読み出し可能に構成された記憶媒体（例えば、ＲＦＩＤ（Ｒａｄｉｏ  Ｆｒｅｑｕｅｎｃｙ  Ｉｄｅｎｔｉｆｉｃａｔｉｏｎ）タグ、又は、非接触型ＩＣ（Ｉｎｔｅｇｒａｔｅｄ  Ｃｉｒｃｕｉｔ）カード）に記憶された情報であってもよい。
【００８８】
また、上記実施形態の他の変形例として、上述した実施形態及び変形例の任意の組み合わせが採用されてもよい。
【産業上の利用可能性】
【００８９】
本発明は、広告を表す広告情報を配信する広告配信システム等に適用可能である。
【図面の簡単な説明】
【００９０】
【図１】本発明の実施形態に係る情報処理システムの概略構成を表す図である。
【図２】図１に示した情報処理システムの機能の概略を表すブロック図である。
【図３】ユーザ特定用基準情報と、ユーザ属性情報と、送信先端末特定情報と、が対応付けられたテーブルである。
【図４】施設識別情報と、ユーザ属性情報と、広告基礎情報と、が対応付けられたテーブルである。
【図５】施設識別情報と、在庫情報と、が対応付けられたテーブルである。
【図６】図１に示した情報処理システムの作動を示したシーケンス図である。
【図７】本発明の実施形態の変形例に係る情報処理システムの機能の概略を表すブロック図である。
【符号の説明】
【００９１】
１      情報処理システム
１０    施設用端末装置
１０ａ  撮影装置
１１    ユーザ特定用入力情報取得部
１２    ユーザ特定用入力情報送信部
２０    サーバ装置
２１    ユーザ特定用入力情報受付部
２２    ユーザ属性情報記憶部
２３    広告基礎情報記憶部
２４    在庫情報記憶部
２５    広告情報生成部
２６    広告情報送信部
３０    携帯端末
３１    広告情報受付部
３２    広告情報出力部
１００  情報処理システム
１０１  ユーザ属性情報記憶部
１０２  広告基礎情報記憶部
１０３  ユーザ特定用入力情報取得部
１０４  広告情報出力部
【図１】
2010097377.tif 000003
【図２】
2010097377.tif 000004
【図３】
2010097377.tif 000005
【図４】
2010097377.tif 000006
【図５】
2010097377.tif 000007
【図６】
2010097377.tif 000008
【図７】
2010097377.tif 000009